【手続補正書】
【提出日】平成23年11月4日(2011.11.4)
【手続補正１】
【補正対象書類名】特許請求の範囲
【補正対象項目名】全文
【補正方法】変更
【補正の内容】
【特許請求の範囲】
【請求項１】
ゲノムがコンパクト遺伝子をホモ接合形またはヘテロ接合形で含むキュウリ植物であって、該コンパクト遺伝子の発現が原因で、以下：該通常のキュウリ植物型と比べて、そして該コンパクト遺伝子をホモ接合形で含む植物の場合は、該コンパクト遺伝子をヘテロ結合形で含む植物と比べても、短い側枝、短い節間、小さな葉、小さな花および短い果実
の表現型特性の組み合わせを含むことによって、該コンパクト遺伝子を欠如した通常のキュウリ植物型と異なるキュウリ植物。
【請求項２】
基質から測定したとき５０cmを超える、好ましくは８０cmを超える１５節間の主茎長を備える、請求項１記載の植物。
【請求項３】
無限伸育である、請求項１または２記載の植物。
【請求項４】
ロングキュウリ型である、請求項１〜３のいずれか一項記載の植物。
【請求項５】
コンパクト遺伝子の発現が、該コンパクト遺伝子についてホモ接合性である植物において以下：
ａ）播種３９日後の該コンパクト遺伝子を有する植物における本葉１０枚目の葉身面積が、播種３９日後の通常のキュウリ型の植物の葉身面積の最大５０％であり、ｂ）該コンパクト遺伝子を有する植物の播種３９日後の花弁の最大幅が、該通常のキュウリ型の植物の播種３９日後の花弁の最大幅の最大７５％であり、ｃ）該コンパクト遺伝子を有する植物の播種５６日後の側枝長が、該通常のキュウリ型の植物の播種５６日後の側枝長の最大６０％であり、そしてｄ）該コンパクト遺伝子を有する植物の播種５６日後の側枝の節間数が、該通常のキュウリ型の植物の播種５６日後の側枝の節間数の最大７０％である
の特徴をもつことを特徴とする、請求項１〜４のいずれか一項記載の植物。
【請求項６】
コンパクト遺伝子の発現が原因で、以下：該コンパクト遺伝子を欠如した通常のキュウリ植物型と比べて、そして、該コンパクト遺伝子をホモ接合形で含む植物の場合は、該コンパクト遺伝子をヘテロ接合形で含む植物と比べても、遅い成長、短い側枝、短い節間、小さな葉、水平の葉、濃い緑色の葉、小さな花および短く軽い果実
の表現型特性の組み合わせを有することによって、該コンパクト遺伝子を欠如した通常のキュウリ植物型と異なる、請求項１〜５のいずれか一項記載の植物。
【請求項７】
コンパクト遺伝子の表現型特性が、一遺伝子性中間遺伝し、該コンパクト遺伝子についてヘテロ接合形の植物が、該コンパクト遺伝子を欠如した植物の表現型特性と、該コンパクト遺伝子をホモ接合形で含む植物の表現型特性との間の、該コンパクト遺伝子の表現型特性を有することを特徴とする、請求項１〜６のいずれか一項記載の植物。
【請求項８】
コンパクト遺伝子をヘテロ接合形で含み、自家生殖後に以下：
約２５％の植物が該コンパクト遺伝子を欠如した植物の通常の表現型特性を有する植物であり、約５０％が中間コンパクト特性を有する植物であり、そして約２５％がホモ接合性コンパクト特性を有する植物である
の比率を有する分離集団を生じる、請求項１〜７のいずれか一項記載の植物。
【請求項９】
通常のキュウリ型の植物が、KorindaまたはSabrina型の植物であり、該Korinda植物がＮＣＩＭＢアクセッションナンバー４１５８５で寄託された種子から得ることができる、請求項１〜８のいずれか一項記載の植物。
【請求項１０】
コンパクト遺伝子をホモ接合形で含み、倍加半数体植物である、前記請求項のいずれか一項記載の植物。
【請求項１１】
コンパクト遺伝子をヘテロ接合形で含み、自家生殖後に通常のロングキュウリ型、ヘテロ接合性中間型の植物、および該コンパクト遺伝子についてホモ接合性のコンパクト植物の間で約１：２：１の比の分離集団を生じるか、または該コンパクト遺伝子についてヘテロ接合性である植物からの倍加半数体産生後に、通常のキュウリ型の植物約５０％および該コンパクト遺伝子についてホモ接合性のコンパクト植物約５０％への分離がある、請求項１〜１０のいずれか一項記載の植物。
【請求項１２】
植物とガーキンまたはショートキュウリ植物とを雑種形成すること、ならびにＡＦＬＰ法の助けを借りて、および少なくとも一つの以下のマーカー：該コンパクト遺伝子に隣接するＥ１４／Ｍ６１＿Ｍ８７３．６、Ｅ１９／Ｍ５０＿Ｍ２８０．２、Ｅ２４／Ｍ４９＿Ｍ２１１．５、Ｅ１７／Ｍ５４＿Ｍ１７９．０、Ｅ１６／Ｍ４７＿Ｍ４２６．１、Ｅ１６／Ｍ４７＿Ｍ４１１．０もしくはＥ１６／Ｍ４７＿Ｍ４０２．９、またはこれらに由来するマーカーの使用による該雑種形成により得られたＦ１植物を分析することにより、コンパクト遺伝子の存在を実証することができ、ここで、該コンパクト遺伝子が実証された自家生殖Ｆ１植物のＦ２分離集団が、これらのＡＦＬＰマーカーの少なくとも一つとコンパクト特性の同時分離を示す、請求項１〜１１のいずれか一項記載の植物。
【請求項１３】
ショートキュウリとの雑種形成の場合に、ＡＦＬＰマーカーＥ１４／Ｍ６１＿Ｍ８７３．６およびＥ１９／Ｍ５０＿Ｍ２８０．２、またはそれらに由来するマーカーが、コンパクト遺伝子に隣接する、請求項１２記載の植物。
【請求項１４】
ＮＣＩＭＢナンバー４１２６６で寄託された種子から得ることができる、請求項１〜１３のいずれか一項記載の植物。
【請求項１５】
ＮＣＩＭＢナンバー４１２６６で寄託された種子から成長した植物とショートキュウリまたはガーキンとの雑種形成の場合に、コンパクト遺伝子が、ＡＦＬＰマーカーＥ１４／Ｍ６１＿Ｍ８７３．６およびＥ１９／Ｍ５０＿Ｍ２８０．２により隣接される遺伝子である、請求項１〜１４のいずれか一項記載の植物。
【請求項１６】
雑種形成が、ショートキュウリManar F1と実施される、請求項１３または１５記載の植物。
【請求項１７】
ゲノムにコンパクト遺伝子を含む、請求項１〜１６のいずれか一項記載の植物の種子、細胞または組織。
【請求項１８】
請求項１７記載の種子、細胞または組織から成長した植物。
【請求項１９】
ショートキュウリもしくはガーキンと形成した雑種においてコンパクト遺伝子に隣接する少なくとも一つの多型性ＡＦＬＰマーカーにより、および／または一つもしくは複数のコンパクト特性の表現型選択により選択がもたらされる、Cucumis sativus種の別の植物に該コンパクト遺伝子を導入するために、請求項１〜１６のいずれか一項記載の植物と他のキュウリ植物を交雑するための方法。
【請求項２０】
ＡＦＬＰマーカーが、Ｅ１４／Ｍ６１＿Ｍ８７３．６、Ｅ１９／Ｍ５０＿Ｍ２８０．２、Ｅ２４／Ｍ４９＿Ｍ２１１．５、Ｅ１７／Ｍ５４＿Ｍ１７９．０、Ｅ１６／Ｍ４７＿Ｍ４２６．１、Ｅ１６／Ｍ４７＿Ｍ４１１．０、およびＥ１６／Ｍ４７＿Ｍ４０２．９から、またはこれらに由来するマーカーから選択される、請求項１９記載の方法。
【請求項２１】
コンパクト遺伝子をヘテロ接合形で含み、中間コンパクト特性を発現している雑種植物である、請求項１〜１６のいずれか一項記載の植物。
【請求項２２】
雑種がコンパクト遺伝子をヘテロ接合状態で含有し、in vitro細胞培養の使用を含む、請求項１〜１６のいずれか一項記載の植物から雑種植物の種子を産生するための方法。
【請求項２３】
コンパクト遺伝子を含む、請求項２１記載の雑種植物の細胞、果実または種子。
【請求項２４】
キュウリ植物の育種工程の様々な段階において植物、果実、種子、植物組織または植物細胞中のコンパクト遺伝子の存在を検出するために、少なくとも一つのＡＦＬＰマーカーＥ１４／Ｍ６１＿Ｍ８７３．６、Ｅ１９／Ｍ５０＿Ｍ２８０．２、Ｅ２４／Ｍ４９＿Ｍ２１１．５、Ｅ１７／Ｍ５４＿Ｍ１７９．０、Ｅ１６／Ｍ４７＿Ｍ４２６．１、Ｅ１６／Ｍ４７＿Ｍ４１１．０およびＥ１６／Ｍ４７＿Ｍ４０２．９、またはこれらに由来するマーカーを使用するための方法。
【請求項２５】
キュウリの植物、種子、細胞または組織から誘導された生物学的材料中のコンパクト遺伝子の存在を検出するために、少なくとも一つのＡＦＬＰマーカーＥ１４／Ｍ６１＿Ｍ８７３．６、Ｅ１９／Ｍ５０＿Ｍ２８０．２、Ｅ２４／Ｍ４９＿Ｍ２１１．５、Ｅ１７／Ｍ５４＿Ｍ１７９．０、Ｅ１６／Ｍ４７＿Ｍ４２６．１、Ｅ１６／Ｍ４７＿Ｍ４１１．０およびＥ１６／Ｍ４７＿Ｍ４０２．９、またはこれらに由来するマーカーを使用するための方法。
【請求項２６】
コンパクト遺伝子をヘテロ接合形で含む、請求項１〜１６または２１のいずれか一項記載の植物に成長しているキュウリ果実を、収穫ロボットの助けを借りて収穫するための方法。
【請求項２７】
コンパクト遺伝子をヘテロ接合形で含む、請求項１〜１６のいずれか一項に定義されたキュウリ植物を、ハイワイヤー栽培によりさらに少数の労働集約性で成長させるための技法。
【請求項２８】
品種Korindaなどの通常型のキュウリの栽培よりも少なくとも２０％多い茎が１ｍ２あたりに保持される、請求項２７記載の方法。
【請求項２９】
植物が、１ｍ２あたり２．２本よりも大きい、好ましくは１ｍ２あたり約２．６〜２．８本の茎密度で成長される、請求項２７記載の方法。
【請求項３０】
ゲノムがコンパクト遺伝子をホモ接合形またはヘテロ接合形で含み、該コンパクト遺伝子の発現が原因で以下：同じ条件で比較する場合、該コンパクト遺伝子を欠如したキュウリ植物型よりも短い側枝、短い節間、小さな葉、小さな花および短い果実の表現型特性の組み合わせを含むことが、該コンパクト遺伝子を欠如したキュウリ植物型と異なり、アクセッションナンバー４１２６６でＮＣＩＭＢに寄託された基準種子に由来する植物と、ショートキュウリまたはガーキン植物との交雑において、該コンパクト遺伝子が、ＡＦＬＰマーカーＥ１４／Ｍ６１−Ｍ８７３．６および／またはＥ１９／Ｍ５０−Ｍ２８０．２により隣接される遺伝子であり、該遺伝子が、該交雑のＦ２子孫において一遺伝子中間的に該表現型特性の全てと共に分離する、キュウリ植物。
【請求項３１】
コンパクト遺伝子を欠如したキュウリ植物型が、Korindaである、請求項３０記載の植物。
【請求項３２】
ショートキュウリまたはガーキン植物がManar F１である、請求項３０または３１記載の植物。